(57)【要約】  【課題】  小型で消費電流の低い検体センサおよび検体センシング方法を提供する。  【解決手段】  検体検出部１１１の質量変化に応じた検出信号を出力する検出素子１１０と、リファレンス検出部１２１の質量に応じたリファレンス信号を出力するリファレンス素子１２０と、から得た検出信号およびリファレンス信号からヘテロダイン方式で位相変化値を求め、標的の検出量を算出する検体センサである。検出信号とリファレンス信号とのうち一方を２つの同じ位相である第１信号及び第２信号に分岐し、他方を第１信号と同じ位相の第３信号と異なる位相の第４信号とに分岐し、第１信号と第３信号の組み合わせ、第２信号と第４信号の組み合わせのそれぞれに対してヘテロダイン方式で位相変化値を求め、感度のよい側を選択することで、高精度の検体センサを提供することができる。【選択図】  図１
2015025658.tif 000002
【特許請求の範囲】
【請求項１】
検体が備える標的の吸着または該標的との反応に応じて質量が単調変化する検体検出部を有し、該検体検出部の質量変化に応じた交流信号である検出信号を出力する検出素子と、
前記標的を吸着または該標的と反応しないリファレンス検出部を有し、前記検出信号に対する交流信号であるリファレンス信号を出力するリファレンス素子と、
前記検出信号及び前記リファレンス信号のうち一方の信号を、２つの同じ位相の第１信号と第２信号とに分岐し、他方の信号を、前記第１信号の位相と同じ第３信号と、前記第１信号と位相をずらした（１８０°を除く）第４信号とに分岐する分岐部と、
前記第１信号と前記第３信号とからヘテロダイン方式によって第１計測信号を得る第１計算部と、
前記第２信号と前記第４信号とからヘテロダイン方式によって第２計測信号を得る第２計算部と、
前記第１計測信号から２つの第１位相変化候補値を算出し、前記第２計測信号から２つの第２位相変化候補値を算出し、前記２つの第１位相変化候補値と前記２つの第２位相変化候補値とのうち最もが値が近い組み合わせを成すものを第１位相変化値および第２位相変化値とする計測部と、
前記第１計測信号と前記第２計測信号との軌跡の２つの交点の強度を予め求め、前記第１計測信号と前記第２計測信号とのうち、前記２つの交点の強度の間に位置するものを計測信号として選択し、前記第１位相変化値と前記第２位相変化値とのうち前記計測信号に対応するものを位相変化値として選択する選択部と、
前記位相変化値から前記検体の検出量を算出する検出量算出部と、
を有する検体センサ。
【請求項２】
前記検出素子は、圧電性を有する検出素子基板と、該検出素子基板上にそれぞれ配置された、前記検体検出部と、該検体検出部に向かって弾性波を発生させる検出第１ＩＤＴ電極と、前記検体検出部を通過した前記弾性波を受ける検出第２ＩＤＴ電極とを有し、
前記リファレンス素子は、圧電性を有するリファレンス素子基板と、前記リファレンス素子基板上に配置された、前記リファレンス検出部と、該リファレンス検出部に向かって弾性波を発生させるリファレンス第１ＩＤＴ電極と、前記リファレンス検出部を通過した前記弾性波を受けるリファレンス第２ＩＤＴ電極とを有し、
前記検出信号は、前記検体検出部を通過した前記弾性波を前記検出第２ＩＤＴ電極で受けて得られた交流信号であり、
前記リファレンス信号は、前記リファレンス検出部を通過した前記弾性波を前記リファレンス第２ＩＤＴ電極で受けて得られた交流信号である、請求項１に記載の検体センサ。
【請求項３】
前記第４信号は、前記第３信号と位相が９０°異なる、請求項１または２に記載の検体センサ。
【請求項４】
前記検出素子と前記分岐部との間および前記リファレンス素子と前記分岐部との間にそれぞれ配置される、前記検出素子からの前記検出信号および前記リファレンス素子からの前記リファレンス信号をそれぞれ増幅するローノイズアンプをさらに有する、請求項１乃至３のいずれかに記載の検体センサ。
【請求項５】
標的を備えた検体を含む検体溶液を、前記前記標的の吸着または該標的との反応に応じて質量が単調変化する、検出素子の検体検出部および前記標的を吸着または該標的と反応しない、リファレンス素子のリファレンス検出部に供給する検体溶液供給工程と、
前記検体検出素子から出力される前記検体検出部の質量変化に応じた交流信号である検出信号及び前記リファレンス素子から出力される前記リファレンス検出部の質量に応じた交流信号であるリファレンス信号のうち一方の信号を、２つの同じ位相の第１信号と第２信号とに分岐し、他方の信号を、前記第１信号と同じ位相の第３信号と、前記第１信号と位相をずらした（１８０°を除く）第４信号とに分岐する分岐工程と、
前記第１信号と前記第３信号とからヘテロダイン方式によって第１計測信号を得る第１計算工程と、
前記第２信号と前記第４信号とからヘテロダイン方式によって第２計測信号を得る第２計算工程と、
前記第１計測信号から２つの第１位相変化候補値を算出し、前記第２計測信号から２つの第２位相変化候補値を算出し、前記２つの第１位相変化候補値と前記２つの第２位相変化候補値とのうち最も値が近い組み合わせを成すものを第１位相変化値および第２位相変化値とする計測工程と、
前記第１計測信号と前記第２計測信号との軌跡の２つの交点の強度を予め求め、前記第１計測信号と前記第２計測信号とのうち、前記２つの交点の強度の間に位置するものを前記計測信号として選択し、前記第１位相変化値と前記第２位相変化値とのうち前記計測信号に対応するものを位相変化値として選択する選択工程と、
前記位相変化値から前記検体の検出量を算出する検出量算出工程と、
を有する、検体センシング方法。
【請求項６】
前記分岐工程において、前記検出信号および前記リファレンス信号のそれぞれを増幅し、増幅した前記検出信号および前記リファレンス信号に基づき前記第１乃至第４計測信号を得る、請求項５記載の検体センシング方法。
【請求項７】
前記分岐工程において、前記第４信号の位相を前記第３信号の位相と９０°異ならせる、請求項５または６に記載の検体センシング方法。
【発明の詳細な説明】
【技術分野】
【０００１】
本発明は、検体の性質あるいは検体に含まれる標的を測定することができる検体センサおよび検体センシング方法に関するものである。
【背景技術】
【０００２】
弾性表面波素子を用いて、検体である液体の性質もしくは液体の成分を測定する弾性表面波センサが知られている。
【０００３】
弾性表面波センサは、圧電基板上に検体試料に含まれる成分と反応する検出部を設け、この検出部を伝搬した弾性表面波（ＳＡＷ：Surface Acoustic Wave）の変化に基づく電気信号を測定することによって検体である液体の性質あるいは成分を検出するものである（例えば、特許文献１）。
【０００４】
特許文献１に開示されているＳＡＷセンサは、ＳＡＷの位相差を検出することにより検体濃度を測定している。位相差を測定するためには、一般に測定可能な位相範囲の広さから直交変調方式が採用されている（例えば、非特許文献１）。
【先行技術文献】
【特許文献】
【０００５】
【特許文献１】特開２００８−１２２１０５号公報
【非特許文献】
【０００６】
【非特許文献１】「ＳＡＷ発振器一体型ＳＡＷセンサシステムの開発」、信学技報、電子情報通信学会、２００３年２月
【発明の概要】
【発明が解決しようとする課題】
【０００７】
しかしながら、直交変調方式は、それを実現するための部品点数が多く小型化が困難であるという問題があった。さらに、デジタル処理が多くなるため消費電流が大きくなるという問題があった。
【０００８】
そこで、小型化で低消費電流のデータ処理方法およびそれを備えたバイオセンサの提供が望まれる。
【課題を解決するための手段】
【０００９】
本発明の一態様に係る検体センサは、検体検出部と、検出素子と、リファレンス素子と、分岐部と、第１計算部と、第２計算部と、計測部と、選択部と、検出量算出部とを備える。検体検出部は、検体が備える標的の吸着または該標的との反応に応じて質量が単調変化するものである。検出素子は、検体検出部の質量変化に応じた交流信号である検出信号を出力する。リファレンス検出部は、標的を吸着または該標的と反応しないものである。リファレンス素子は、検出信号に対する交流信号であるリファレンス信号を出力する。分岐部は、検出信号とリファレンス信号とのうち一方の信号を、２つの同じ位相の第１信号と第２信号とに分岐し、他方の信号を、第１信号の位相と同じ第３信号と、第１信号と位相をずらした（１８０°を除く）第４信号とに分岐する。第１計算部は、第１信号と第３信号とからヘテロダイン方式によって第１計測信号を得る。第２計算部は、第２信号と第４信号とからヘテロダイン方式によって第２計測信号を得る。計測部は、第１計測信号から正負２つの第１位相変化候補値を算出し、第２計測信号から正負２つの第２位相変化候補値を算出し、２つの第１位相変化候補値と２つの第２位相変化候補値とのうち最も値の近い組み合わせを成すものを第１位相変化値および第２位相変化値とする。選択部は、第１計測信号と第２計測信号との軌跡の２つの交点の強度を予め求め、第１計測信号と第２計測信号とのうち、２つの交点の強度の間に位置するものを計測信号として選択し、第１位相変化値と第２位相変化値とのうち前記計測信号に対応するものを位相変化値として選択する。検出量算出部は、位相変化値から検体の検出量を算出する。
【００１０】
本発明の一態様に係る検体センシング方法は、検体溶液供給工程と、分岐工程と、第１計算工程と、第２計算工程と、計測工程と、選択工程と、検出量算出工程とを含む。検体溶液供給工程は、標的を備えた検体を含む検体溶液を、前記標的の吸着または標的との反応に応じて質量が単調変化する、検出素子の検体検出部および標的を吸着または該標的と反応しない、リファレンス素子のリファレンス検出部に供給する。分岐工程は、前記検体検出素子から出力される前記検体検出部の質量変化に応じた交流信号である検出信号及び前記リファレンス素子から出力される前記リファレンス検出部の質量に応じた交流信号であるリファレンス信号のうち一方の信号を、２つの同じ位相の第１信号と第２信号とに分岐し、他方の信号を、前記第１信号と同じ位相の第３信号と、第１信号と位相をずらした（１８０°を除く）第４信号とに分岐する第１計算工程は、第１信号と第３信号とからヘテロダイン方式によって第１計測信号を得る。第２計算工程は、第２信号と第４信号とからヘテロダイン方式によって第２計測信号を得る。計測工程は、第１計測信号から正負２つの第１位相変化候補値を算出し、第２計測信号から正負２つの第２位相変化候補値を算出し、２つの第１位相変化候補値と２つの第２位相変化候補値とのうち最も差分が少ない組み合わせを成すものを第１位相変化値および第２位相変化値とする。選択工程は、第１計測信号と第２計測信号との軌跡の２つの交点の強度を予め求め、第１計測信号と第２計測信号とのうち、２つの交点の強度の間に位置するものを計測信号として選択し、第１位相変化値と第２位相変化値とのうち計測信号に対応するものを位相変化値として選択する。検出量算出工程は、位相変化値から検体の検出量を算出する。
【発明の効果】
【００１１】
本発明によれば、小型で消費電流の低い検体センサ及び検体センシング方法を提供できる。
【図面の簡単な説明】
【００１２】
【図１】本発明の実施形態に係る検体センサの原理的な構成図である。
【図２】ヘテロダイン方式の信号処理について説明する模式図である。
【図３】図３（ａ）は第１計測信号と第２計測信号との模式的な軌跡を示す線図であり、図３（ｂ）は選択された計測信号の軌跡を示す線図である。
【図４】本発明の実施形態に係る検体センサの斜視図である。
【図５】図４に示す検体センサの一部を破断した状態の斜視図である。
【図６】図６（ａ）は図４のVIａ−VIａ線における断面図、図６（ｂ）は図４のVIｂ−VIｂ線における断面図である。
【図７】図４に示す検体センサの一部を除去した上面図である。
【図８】本発明の他の実施形態に係る検体センサの原理的な構成図である。
【発明を実施するための形態】
【００１３】
以下、本発明にかかる検体センサの実施形態について、図面を参照しつつ詳細に説明する。なお、以下に説明する各図面において同じ構成部材には同じ符号を付すものとする。また、各部材の大きさや部材同士の間の距離などは模式的に図示しており、現実のものとは異なる場合がある。
【００１４】
また、検体センサは、いずれの方向が上方または下方とされてもよいものであるが、以下では、便宜的に、直交座標系ｘｙｚを定義するとともにｚ方向の正側を上方として、上面、下面などの用語を用いるものとする。
【００１５】
（検体センサ１００の原理）
図１は、検体センサ１００の原理を説明するための概略図である。検体センサ１００は、図１に示すように検出素子１１０と、リファレンス素子１２０と、分岐部１３０と、計算部１４０と、計測部１５０と、選択部１６０と、検出量算出部１７０と、を有する。
【００１６】
検出素子１１０は、検体中に存在する標的の吸着またはこの標的との反応に応じて質量が単調変化する検体検出部１１１を有する。この検体検出部１１１は、例えば検体の導電率などの電気的性質の影響を受けないＡｕの膜に、標的を特異的に吸着させるような反応性を有する反応基を固定化させることで実現できる。なお、標的自体を吸着させなくてもよい。例えば、Ａｕの膜に、標的に対して反応し、検体中に存在する標的以外の物質と反応しないような特性を有する反応基を固定化させてもよい。なお、このＡｕ膜は電気的に接地されていることが望ましい。このような構成により、標的の量に応じて検体検出部１１１の重量が変化するものとなる。
【００１７】
リファレンス素子１２０は、リファレンス検出部１２１を有する。このリファレンス検出部１２１は、例えば、検体中に存在する標的に対して特異的な吸着させたり、構造変化を生じて検体中の物質と置換反応を起こしたりするような反応性を有さないものである。具体的には、前述した反応基を固定化していないＡｕの膜や、前述した反応基と同程度の物質量を有し、ランダムな塩基配列を有するＤＮＡ，ＲＮＡ等をＡｕ膜上に固定化したものを用いることができる。このような構成により、リファレンス検出部１２１が標的の量に依存して重量変化を生じることを抑制できる。
【００１８】
検出素子１１０，リファレンス素子１２０にはそれぞれ、外部から入力信号が与えられる。そして検出素子１１０に与えられた入力信号が検体検出部１１１を通過し、検体検出部１１１の質量変化に応じた変化を経て検出信号として出力される。同様に、リファレンス素子１２０に与えられた入力信号が、リファレンス検出部１２１を通過し、リファレンス検出部１２１の質量に応じた変化を経てリファレンス信号として出力される。
【００１９】
ここで、検出信号とリファレンス信号は交流信号であり、リファレンス信号は検出信号に対して基準信号の役割を果たす。
【００２０】
分岐部１３０は、第１分岐部１３１と第２分岐部１３２とを含む。第１分岐部１３１は、検出素子１１０に接続されて、検出素子１１０の検体検出部１１１の重量変化に応じた検出信号を第１信号と第２信号とに分岐する。ここで、第１信号と第２信号とは位相の同じ信号である。すなわち、検出信号を２つの同一信号Ａに分岐するものである。
【００２１】
第２分岐部１３２は、リファレンス素子１２０からのリファレンス信号を第３信号と第４信号とに分岐する。第３信号は、第１信号と同じ位相である。第４信号は、第１信号から位相を１８０°を除く値ずらしている。この例では９０°位相をずらしている。図１中において、第３信号をＢ，第４信号をＢ’で表している。
【００２２】
このような第１分岐部１３１，第２分岐部１３２は例えばスプリッタで構成される。第２分岐部１３２については、通常の手法で信号を２つに分岐させた後に、一方の線路長を他方の線路長に対して異ならせることで実現してもよい。
【００２３】
計算部１４０は、第１計算部１４１と第２計算部１４２とを有する。第１計算部１４１は、第１信号Ａと第３信号Ｂとからヘテロダイン方式で第１計測信号を得る。この例では、第１信号Ａから第３信号Ｂを差し引いた値からヘテロダイン方式で第１計測信号を得る。
【００２４】
第２計算部１４２は、第２信号Ａと第４信号Ｂ’とからヘテロダイン方式で第２計測信号を得る。この例では、第２信号Ａから第４信号Ｂ’を差し引いた値からヘテロダイン方式で第２計測信号を得る。
【００２５】
このような第１計算部１４１，第２計算部１４２は、例えばミキサとローパスフィルタとで構成される。
【００２６】
計測部１５０は、第１計測信号から２つの第１位相変化候補値を算出し、そのうちの一方を第１位相変化値と判断する。同様に、第２計測信号から２つの第２位相変化候補値を算出し、そのうち一方を第２位相変化値と判断する。
【００２７】
ここで、ヘテロダイン方式により第１計測信号および第２計測信号を処理しているため、図２に示すように、第１計測信号および第２計測信号は正弦曲線となり、電圧の強度（出力値）ｙ１に相当する位相変化値の候補には２つの値ｘ１、ｘ２が存在することとなる。この位相変化の候補値とは、検出信号とリファレンス信号とにおける位相差を示すものである。
【００２８】
第１計測信号と第２計測信号に対して検討すると、第１計測信号に対して２つの第１位相変化候補値ｘ１１，ｘ２１が存在する。同様に第２計測信号に対して２つの第２位相変化候補値ｘ１２，ｘ２２が存在する。ここでｘ１１とｘ１２との組み合わせ，ｘ１１とｘ２２との組み合わせ、ｘ２１とｘ１２との組み合わせ、ｘ２１とｘ２２との組み合わせとの合計４つの組み合わせの中で、最も値が近いもので組み合わせをなす位相変化候補値をそれぞれ、第１計測信号の第１位相変化値，第２計測信号の第２位相変化値とする。具体的には４つの組み合わせについて、差をとり、その値が最も小さくなる組み合わせを選択する。そして、選択した組み合わせをなす位相変化候補値をそれぞれ、第１計測信号の第１位相変化値，第２計測信号の第２位相変化値とする。これは、以下のメカニズムによる。
【００２９】
すなわち、理論上では、第１計測信号の２つの第１位相変化候補値のうちの１つと、第２計測信号の２つの第２位相変化候補値のうちの１つとが同じになる。この同じ値が正しい位相変化値（第１位相変化値，第２位相変化値）である。しかしながら、実測定の第１及び第２計測信号においては、誤差により完全に同一の値をとることができない可能性がある。このため、差を最も少なくする組み合わせ（すなわち最も近い値を取るもの）を第１位相変化値，第２位相変化値と判別するものである。
【００３０】
従来では、ヘテロダイン方式により信号処理を行なうと、位相変化候補値が２つあり、判別が困難となり、その結果、測定可能な位相範囲が非常に小さくなっていた。しかしながら、本実施形態では、上述のように２つの検出信号（第１および第２検出信号）を用いることにより、位相変化候補値から位相変化値を判断することができる。
【００３１】
選択部１６０は、第１計測信号と第２計測信号との２つから、一方をその後の検出量算出部１７０で用いる計測信号として選択する。同様に、計測信号として選択されたものが第１計測信号の場合には第１位相変化値を、第２計測信号の場合には第２位相変化値をそれぞれ位相変化値として選択する。
【００３２】
具体的には、以下のステップを行なう。まず、予め第１計測信号と第２計測信号との軌跡を求め、第１計測信号と第２計測信号との交点における正負２つの強度を求める。そして、第１計測信号と第２計測信号とのうち、交点における正負２つの強度の間に位置するものを計測信号として選択する。
【００３３】
図３（ａ）は、第１計測信号と第２計測信号の理論値の軌跡を示す図である。便宜上、第１計測信号の強度をＶ１，第２計測信号の強度をＶ２，第１計測信号の軌跡と第２計測信号の軌跡との交点の強度を大きい値から順にＶｍａｘ，Ｖｍｉｎとしている。また、第１計測信号の軌跡を破線で、第２計測信号の軌跡を実線で示している。理論的には、交点の強度Ｖｍａｘ，Ｖｍｉｎは、Ｖ１，Ｖ２の最大強度の０．５倍，−０．５倍となる。
【００３４】
第１計測信号，第２計測信号がいずれかの交点の強度をとる位相値ごとに位相値の区間を区切る。図３（ａ）では区間１〜区間５を示している。なお、区間１〜区間４を繰り返すものであり、区間１と区間５とは同一となる。そして、区間１では第２計測信号を、区間２では第１計測信号を、区間３では第２計測信号を、区間４では第１計測信号を、区間５では第２計測信号をそれぞれ計測信号として選択する。
【００３５】
そして、第１計測信号を計測信号としたときには、第１位相変化値を位相変化値とし、第２計測信号を計測信号としたときには、第２位相変化値を位相変化値とする。
【００３６】
上記を言い換えると、次のようになる。
【００３７】
Ｖ１＞Ｖ２，かつＶ１＞Ｖｍａｘ・・・計測信号としてＶ２を採用
Ｖ１＜Ｖ２，かつＶ２＞Ｖｍａｘ・・・計測信号としてＶ１を採用
Ｖ１＜Ｖ２，かつＶ１＜Ｖｍｉｎ・・・計測信号としてＶ２を採用
Ｖ１＞Ｖ２，かつＶ２＜Ｖｍｉｎ・・・計測信号としてＶ１を採用
【００３８】
仮にＶ１＝Ｖ２の場合は、どちらを計測信号として採用してもよい。このようにして選択した計測信号の軌跡を図３（ｂ）に示す。
【００３９】
上述の条件により選択した計測信号に応じて位相変化値も選択することができる。
【００４０】
次に、検出量算出部１７０において、上述の過程を経て選択した位相変化値を用いて検体の検出量を算出する。検出量算出部１７０は、選択部１６０に接続されている。
【００４１】
このように構成することにより、検体が備える標的の検出量を算出可能な検体センサ１００を提供することができる。ここで、ヘテロダイン方式により信号を処理しているため、検出信号とリファレンス信号との差分をとるミキサを追加するのみで検体検出量を算出可能である。このため、従来用いられている直交変調方式に比べ複雑な信号処理が不要であり、必要部品点数も少なく、小型化が可能であり、かつ消費電流を抑制することができる。
【００４２】
また、通常のヘテロダイン方式では位相値の正負の判断がつかないため、測定可能な位相範囲は０°から１８０°までのみであった。しかしながら、本実施形態の検体センサ１００によれば、第１計測信号と第２計測信号とを第１及び第２の位相変化候補値を比較することで、位相変化候補値からの位相の正負を判断し、位相変化値を推定することができる。これにより、測定可能な位相範囲を−１８０°から１８０°まで広げることができる。
【００４３】
そして、連続的に第１計測信号と第２計測信号との電圧強度の変化の様子を追うことで、１８０°を超える位相範囲においても測定可能となる。
【００４４】
また、通常のヘテロダイン方式では、正弦曲線を描くため、位相差が０°と±１８０°とで傾きが小さくなり感度が低くなったり誤差が大きくなったりする虞がある。これに対して、上述の構成とすることにより、傾きが小さくなる領域を省き、全ての位相範囲で傾きの大きい計測信号を用いることとなる。これにより位相変化に対して電圧変化率の高いものとすることができ、感度の高い検体センサ１００とすることができる。検体センサにおいて０°付近は、標的検出による信号変化の立ち上がり部分に相当することが多く、高い感度で測定することが望まれるため、特に有効である。
【００４５】
特に、上述の例では、第４信号を第１〜第３信号に対して９０°ずらしていることより、第１計測信号が最も感度が低くなるときに、第２計測信号が最も感度の高い領域となるため、高感度の検体センサ１００とすることができる。
【００４６】
なお、上述の例では、リファレンス信号を第３信号と第４信号とに位相をずらして分岐した例を示したが、検出信号を第３信号と第４信号とに分岐してもよい。また、最も効果的な例として第４信号の位相を第１信号に対して９０°ずらした例を説明したが、１８０°を除く値であれば９０°以外でもよい。
【００４７】
さらに、上述のように２つの信号（第１計測信号、第２計測信号）を用いることより、ノイズ判定を行なうことができる。これは以下のようなメカニズムによる。検出信号やリファレンス信号にはノイズが混入することがある。通常、このようなノイズをノイズと判別することは困難である。これに対して、本実施形態の検体センサ１００によれば、正しく測定できている場合には、第１計測信号および第２計測信号の一方の電圧強度が交点強度Ｖｍａｘ，Ｖｍｉｎの間の範囲の値に、他方がこの範囲を外れる値をとる。言い換えると、第１計測信号および第２計測信号のいずれも、この範囲内の値をとったり、この範囲外の値をとったりする場合には、ノイズであると判断することができる。このようにして、ノイズを判別することができるので、ノイズに影響されずに、正確な測定が可能な検体センサ１００とすることができる。
【００４８】
以上より、少ない部品点数および少ない信号処理で、直交変調方式と同じ広さの位相範囲を高精度に検出可能な検体センサ１００を提供することができる。
【００４９】
（検体センサ１００Ａの構成）
次に図４を用いて、検体センサ１００の原理を具体化した検体センサ１００Ａの構成について説明する。
【００５０】
検体センサ１００Ａは、図４の斜視図に示すように外観上は主に圧電基板１とカバー３とで構成されている。カバー３には、検体溶液の流入口である第１貫通孔１８と空気孔もしくは検体溶液の流出口である第２貫通孔１９が設けられている。
【００５１】
図５にカバー３の片側半分を取り除いたときの検体センサ１００Ａの斜視図を示す。同図に示すようにカバー３の内部には検体（溶液）の検体用流路となる空間２０が形成されている。第１貫通孔１８はこの空間２０に繋がっている。すなわち、第１貫通孔１８から入った検体は空間２０に流れ込むようになっている。
【００５２】
空間２０に流れ込んだ検体液には標的が含まれており、その標的が圧電基板１上に形成された金属膜７などからなる検出部と反応する。
【００５３】
圧電基板１は、例えば、タンタル酸リチウム（ＬｉＴａＯ３）単結晶，ニオブ酸リチウム（ＬｉＮｂＯ３）単結晶，水晶などの圧電性を有する単結晶の基板からなる。圧電基板１の平面形状および各種寸法は適宜に設定されてよい。一例として、圧電基板１の厚みは、０．３ｍｍ〜１．０ｍｍである。
【００５４】
図６に検体センサ１００Ａの断面図を示す。図６（ａ）は図４のVIａ−VIａ線における断面図であり、図６（ｂ）は図２のVIｂ−VIｂ線における断面図である。図７に圧電基板１の上面図を示す。
【００５５】
図６，図７に示すように圧電基板１の上面には、検出第１ＩＤＴ電極５ａ，検出第２ＩＤＴ電極６ａ，リファレンス第１ＩＤＴ電極５ｂ，およびリファレンス第２ＩＤＴ電極６ｂが形成されている。検出第１ＩＤＴ電極５ａおよびリファレンス第１ＩＤＴ電極５ｂは所定のＳＡＷを発生させるためのものであり、検出第２ＩＤＴ電極６ａおよびリファレンス第２ＩＤＴ電極６ｂは、それぞれ検出第１ＩＤＴ電極５ａおよびリファレンス第１ＩＤＴ電極５ｂで発生したＳＡＷを受信するためのものである。検出第１ＩＤＴ電極５ａで発生したＳＡＷを検出第２ＩＤＴ電極６ａが受信できるように検出第２ＩＤＴ電極６ａは、検出第１ＩＤＴ電極５ａで発生したＳＡＷの伝搬路上に配置されている。リファレンス第１ＩＤＴ電極５ｂとリファレンス第２ＩＤＴ電極６ｂとも同様に配置される。
【００５６】
リファレンス第１ＩＤＴ電極５ｂおよびリファレンス第２ＩＤＴ電極６ｂは、検出第１ＩＤＴ電極５ａおよび検出第２ＩＤＴ電極６ａと同様であるため、以下、検出第１ＩＤＴ電極５ａおよび検出第２ＩＤＴ電極６ａを例に取り説明する。
【００５７】
検出第１ＩＤＴ電極５ａおよび検出第２ＩＤＴ電極６ａは、１対の櫛歯電極を有する（図７参照）。各櫛歯電極は、互いに対向する２本のバスバーおよび各バスバーから他のバスバー側へ延びる複数の電極指を有している。そして、１対の櫛歯電極は、複数の電極指が互いに噛み合うように配置されている。検出第１ＩＤＴ電極５ａおよび検出第２ＩＤＴ電極６ａは、トランスバーサル型のＩＤＴ電極を構成している。
【００５８】
検出第１ＩＤＴ電極５ａおよび検出第２ＩＤＴ電極６ａはそれぞれ配線８を介してパッド９に接続されている。これらのパッド９および配線８を介して外部から検出第１ＩＤＴ電極５ａに信号が入力され、検出第２ＩＤＴ電極６ａから外部に信号が出力される。
【００５９】
検出第１ＩＤＴ電極５ａ、検出第２ＩＤＴ電極６ａ、リファレンス第１ＩＤＴ電極５ｂ、リファレンス第２ＩＤＴ電極６ｂ、配線８およびパッド９は、例えば、アルミニウム、アルミニウムと銅との合金などからなる。またこれらの電極は、多層構造としてもよい。多層構造とする場合は、例えば、１層目がチタン又はクロムからなり、２層目がアルミニウム又はアルミニウム合金からなる。
【００６０】
検出第１ＩＤＴ電極５ａ、検出第２ＩＤＴ電極６ａ、リファレンス第１ＩＤＴ電極５ｂ、リファレンス第２ＩＤＴ電極６ｂは、保護膜４によって覆われている。保護膜４は各電極および配線の酸化防止などに寄与するものである。保護膜４は酸化珪素、酸化アルミニウム、酸化亜鉛、酸化チタン、窒化珪素、またはシリコンなどからなる。検体センサ１００Ａでは、保護膜４として二酸化珪素（ＳｉＯ２）を使用している。
【００６１】
保護膜４は、パッド９を露出するようにして、圧電基板１の上面全体にわたって形成されている。検出第１ＩＤＴ電極５ａおよび検出第２ＩＤＴ電極６ａはこの保護膜４によって被覆されている。これにより、ＩＤＴ電極が腐食するのを抑制することができる。
【００６２】
保護膜４の厚さは、例えば１００ｎｍ〜１０μｍである。
【００６３】
図６（ｂ）に示すように検出第１ＩＤＴ電極５ａは第１振動空間１１ａに収容され、検出第２ＩＤＴ電極６ａは第２振動空間１２ａに収容されている。これにより検出第１ＩＤＴ電極５ａおよび検出第２ＩＤＴ電極６ａが外気および検体液と隔離され、水分などの腐食物質から検出第１ＩＤＴ電極５ａおよび検出第２ＩＤＴ電極６ａを保護することができる。また、第１振動空間１１ａおよび第２振動空間１２ａが確保されることによって検出第１ＩＤＴ電極５ａ、検出第２ＩＤＴ電極６ａにおいてＳＡＷの励振が大きく阻害されない状態とすることができる。
【００６４】
第１振動空間１１ａおよび第２振動空間１２ａは、これら振動空間を構成するための凹部を有した板状体２を圧電基板１に接合することによって形成することができる。
【００６５】
リファレンス第１ＩＤＴ電極５ｂとリファレンス第２ＩＤＴ電極６ｂとにも、同様に第１振動空間１１ｂおよび第２振動空間１２ｂが設けられている。
【００６６】
板状体２の、第１振動空間１１ａおよび第２振動空間１２ａを形成するための凹部の間には、板状体２を厚み方向に貫通している部分である貫通部が形成されている。この貫通部はＳＡＷの伝搬路上に金属膜７ａを形成するために設けられたものである。すなわち、板状体２を圧電基板１に接合したときに、平面視で、検出第１ＩＤＴ電極５ａから検出第２ＩＤＴ電極６ａに伝搬するＳＡＷの伝搬路の少なくとも一部が貫通部から露出し、その露出部に金属膜７ａが形成される。
【００６７】
同様に、板状体２の、第１振動空間１１ｂおよび第２振動空間１２ｂを形成するための凹部の間には、板状体２を厚み方向に貫通している部分である他の貫通部が形成されている。この貫通部はＳＡＷの伝搬路上に金属膜７ｂを形成するために設けられたものである。
【００６８】
このような形状の板状体２は、例えば、感光性のレジストを用いて形成することができる。
【００６９】
板状体２の貫通部から露出する金属膜７ａは、検体液の検体検出部を構成する。金属膜７ａは、例えば、クロムおよびクロム上に成膜された金の２層構造となっている。金属膜７ａの表面には、例えば、核酸やペプチドからなるアプタマーが固定化されている。このようにアプタマーが固定化された金属膜７ａに検体液が接触すると検体液中の特定の標的物質がその標的物質に対応するアプタマーと結合する。このような構成とすることで、検体がアプタマーと結合し、吸着するにつれ金属膜７ａの重量が単調増加するものとなる。すなわち、検体の検出に応じて重量が単調増加するものとなる。なお、ここで金属膜７ａの重量が単調増加するのは、検体が連続的に金属膜７ａ上に供給される間のみである。例えば、検体溶液の供給の前後に、検体の供給と連続して緩衝液が供給される場合には、検体が金属膜７ａ上を通過し、検体とアプタマーとが乖離することにより重量が減少しても問題はない。
【００７０】
また、板状体２の他の貫通部から露出する金属膜７ｂは、リファレンス検出部を構成する。金属膜７ｂは、例えば、クロムおよびクロム上に成膜された金の２層構造となっている。金属膜７ａの表面には、検体に対して反応性を示さないように金属膜７ａに固定化し
たようなアプタマーをつけないものとする。さらに、検体溶液に対して反応性を低め安定化させるような表面処理を行なってもよい。
【００７１】
ＳＡＷを利用して検体溶液の性質などを測定するには、まず、検出第１ＩＤＴ電極５ａに、パッド９および配線８を介して外部の測定器から所定の電圧（信号）を印加する。そうすると、検出第１ＩＤＴ電極５ａの形成領域において圧電基板１の表面が励振され、所定の周波数を有するＳＡＷが発生する。発生したＳＡＷはその一部が検出第１ＩＤＴ電極５ａと検出第２ＩＤＴ電極との間の領域を通過し、検出第２ＩＤＴ電極６ａに到達する。このとき金属膜７ａでは、金属膜７ａに固定化されたアプタマーが検体中の特定の標的物質と結合し、結合した分だけ金属膜７ａの重さが変化するため、金属膜７ａの下を通過するＳＡＷの位相特性などが変化する。このように特性が変化したＳＡＷが検出第２ＩＤＴ電極６ａに到達すると、それに応じた電圧が検出第２ＩＤＴ電極６ａに生じる。この電圧が交流信号の検出信号として配線８およびパッド９を介して外部に出力され、それを図１に示す分岐部１３０、計算部１４０とを経て処理することによって検体液の性質や成分を調べることができる。
【００７２】
すなわち、圧電基板１と、圧電基板１上に形成された検体検出部としての金属膜７ａと、検出第１ＩＤＴ電極５ａおよび検出第２ＩＤＴ電極６ａとで検出素子１１０Ａを構成する。
【００７３】
同様に、同じ空間２０にアプタマーが固定化されていない別の金属膜７ｂを設け、リファレンス第１ＩＤＴ電極５ｂからの信号を入力し、リファレンス第２ＩＤＴ電極６ｂから出力される交流信号を温度特性等や湿度等の環境変化による信号変動の校正に用いるリファレンス信号とする。
【００７４】
すなわち、圧電基板１と、圧電基板１上に形成されたリファレンス検出部としての金属膜７ｂと、リファレンス第１ＩＤＴ電極５ｂおよびリファレンス第２ＩＤＴ電極６ｂとでリファレンス素子１２０Ａを構成する。
【００７５】
なお、この例では、検出素子１１０Ａとリファレンス素子１２０Ａとで同一の圧電基板１を共有しているが、検出素子基板とリファレンス素子基板とに分離してもよい。
もよい。
【００７６】
カバー３は、例えば、ポリジメチルシロキサンからなる。カバー３の材料としてポリジメチルシロキサンを用いることによって、カバー３を任意の形状にすることができる。また、ポリジメチルシロキサンを用いれば、カバー３の天井部や側壁を比較的簡単に分厚く形成することができる。カバー３の天井部および側壁の厚みは、例えば、１ｍｍ〜５ｍｍである。
【００７７】
なお、図７に示すように、検出第１ＩＤＴ電極５ａ，検出第２ＩＤＴ電極６ａ，リファレンス第１ＩＤＴ電極５ｂ，およびリファレンス第２ＩＤＴ電極６ｂのそれぞれを構成する一対の櫛歯状電極の一方が基準電位線３１に接続されている。この基準電位線３１はパッド９Ｇに接続されて基準電位となる。そして、検出第１ＩＤＴ電極５ａ，検出第２ＩＤＴ電極６ａ，リファレンス第１ＩＤＴ電極５ｂ，およびリファレンス第２ＩＤＴ電極６ｂのそれぞれを構成する一対の櫛歯状電極のうち、基準電位に接続される側の電極を基準電位線３１が配置されている側に配置している。換言すると、一対の櫛歯状電極のうち内側に位置する側の電極が基準電位に接続されている。このように構成することで、検出素子１１０Ａとリファレンス素子１２０Ａとの間で互いの信号がクロストークすることを抑制することができる。
【００７８】
このような構成とすることにより、検出素子１１０Ａとリファレンス素子１２０Ａとの配線８取り回しを容易とするとともに，配線８の長さを揃えることができる。これにより、リファレンス素子１２０Ａからのリファレンス信号が参照用の信号としてより正確なものとなる。
【００７９】
（変形例：圧電基板１）
上述の例では、検出素子１１０Ａとリファレンス素子１２０Ａとでは、圧電性を有する基板を共有している例を用いて説明したが、検出素子１１０Ａ用の素子基板と、リファレンス素子１２０Ａ用のリファレンス素子基板とを別体としてもよい。この場合には、確実に検出素子１１０Ａとリファレンス素子１２０Ａとの間でのクロストークを抑制することができる。このような場合には、素子基板とリファレンス素子基板とを保持する別体の基体を設ければよい。
【００８０】
（他の実施形態）
以上の例では、検出素子１１０およびリファレンス素子１２０からの信号を直接用いた例について説明した。これに対して、図８に示す検体センサ１００Ｂのように、検出素子１１０と第１分岐部１３１との間およびリファレンス素子１２０と第２分岐部１３２との間それぞれに、ローノイズアンプ１３３を配置してもよい。
【００８１】
一般にＳＡＷセンサでは、感度が高いと振幅特性の変化も大きくなる。すなわち、保護膜４の厚みなどを調整して感度が高くなるような設計とすると、ロスも大きくなり正確な測定ができないおそれがある。一方で、計算部１４０へ入力される信号が小さいと、ノイズが多くなり検出精度が低くなるおそれがある。
【００８２】
また、検出素子１１０およびリファレンス素子１２０に入力する信号を大きくすると、検出素子１１０およびリファレンス素子１２０から出力される信号とクロストークする虞がある。さらに、検出素子１１０およびリファレンス素子１２０に入力する信号を大きくすると、検出素子１１０およびリファレンス素子１２０から出力される信号が電磁波として外部に漏洩するおそれがある。
【００８３】
以上より、高い検出精度を得るためには、検出素子１１０と分岐部１３０との間およびリファレンス素子１２０と分岐部１３０との間それぞれに、ローノイズアンプ１３３を配置することが重要である。
【００８４】
（検体検出量の測定方法）
検体センサにおける検体センシング方法を説明する。
【００８５】
（検体溶液供給工程）
まず標的を備えた検体を、標的の吸着または標的との反応に応じて重量が単調変化する検出素子の検体検出部と、標的を吸着または反応しないリファレンス素子のリファレンス検出部とに供給する検体溶液供給工程を行なう。
【００８６】
（分岐工程）
次に、検体検出部の質量変化に応じた交流信号である検出信号及びリファレンス検出部から交流信号である前記リファレンス信号のうち一方の信号を、２つの同じ位相の第１信号と第２信号とに分岐し、他方の信号を、第１信号と同じ位相の第３信号と、位相を１８０°を除く値ずらした第４信号とに分岐する。
【００８７】
（第１計算工程）
次に、第１信号と第３信号とからヘテロダイン方式によって第１計測信号を得る。
【００８８】
（第２計算工程）
続いて、第２信号と第４信号とからヘテロダイン方式によって第２計測信号を得る。
【００８９】
（計測工程）
次に、第１計測信号から２つの第１位相変化候補値を算出し、第２計測信号から２つの第２位相変化候補値を算出し、２つの第１位相変化候補値と２つの第２位相変化候補値とのうち最も値が小さい組み合わせを成すものを第１位相変化値および第２位相変化値とする。
【００９０】
（選択工程）
さらに、第１計測信号と第２計測信号との軌跡の２つの交点の強度を予め求め、第１計測信号と第２計測信号とのうち、前記２つの交点強度の間に位置するものを計測信号として選択する。同様に、第１位相変化値と第２位相変化値とのうち、この計測信号に対応するものを位相変化値として選択する。
【００９１】
（検出量算出工程）
選択工程にて選択した位相変化値から検体の検出量を算出する。
【００９２】
以上の工程を経て検体検出量を測定することができる。
【００９３】
またヘテロダイン方式を行なう際に、第１信号から第３信号を差し引いてもよいし、第３信号から第１信号を差し引いてもよい。同様に第２信号から第４信号を差し引いてもよいし、第４信号から第２信号を差し引いてもよい。
【００９４】
また、分岐工程において、第４信号の位相は第１信号の位相に対して１８０°を除く値とすれば、適宜選択可能であるが、９０°とすることが好ましい。
【００９５】
また、分岐工程に先立ち、検出信号とリファレンス信号とのそれぞれを増幅させることが好ましい。
【符号の説明】
【００９６】
１・・・圧電基板
２・・・板状体
３・・・カバー
４・・・保護膜
５ａ・・・検出第１ＩＤＴ電極
５ｂ・・・リファレンス第１ＩＤＴ電極
６ａ・・・検出第２ＩＤＴ電極
６ｂ・・・リファレンス第２ＩＤＴ電極
７ａ，７ｂ・・・金属膜
８・・・配線
９・・・パッド
１１ａ，１１ｂ・・・第１振動空間
１２ａ，１２ｂ・・・第２振動空間
２０・・・空間
３１・・・基準電位線
１００，１００Ａ，１００Ｂ・・・検体センサ
１１０・・・検出素子
１１１・・・検体検出部
１２０・・・リファレンス素子
１２１・・・リファレンス検出部
１３０・・・分岐部
１３１・・・第１分岐部
１３２・・・第２分岐部
１４０・・・計算部
１４１・・・第１計算部
１４２・・・第２計算部
１５０・・・計測部
１６０・・・選択部
１７０・・・検出量算出部
【図１】
2015025658.tif 000003
【図２】
2015025658.tif 000004
【図４】
2015025658.tif 000005
【図５】
2015025658.tif 000006
【図６】
2015025658.tif 000007
【図８】
2015025658.tif 000008
【図３】
2015025658.tif 000009
【図７】
2015025658.tif 000010